(57)【特許請求の範囲】
【請求項１】
浮き本体の下部に錘を装着した釣り用浮きであって、
所定寸法に形成された錘装着用の挿入孔を有し、この挿入孔に所定重量の主錘と、補助錘とが装着され、
前記補助錘は複数の小錘片を含み、この小錘片と前記挿入孔に塗布される接着剤の合計重量が、前記補助錘の重量として設定され、所定浮力を生じさせるようにしたことを特徴とする釣り用浮き。
【請求項２】
浮き本体の下部に錘を装着した釣り用浮きの浮力調整法であって、
前記浮き本体の下部に錘装着用の挿入孔を所定寸法で形成し、
前記挿入孔に主錘を装着して、そのときの浮力を測定し、
測定された前記浮力に基き所望の浮き浮力が得られるように補助錘の重量を設定し、その際、前記補助錘に含まれる複数の小錘片と前記挿入孔に塗布される接着剤の合計重量が、前記補助錘の重量として設定され、
重量設定された前記補助錘を前記挿入孔に装着することにより、所定浮力を生じさせるようにしたことを特徴とする釣り用浮きの浮力調整法。
【発明の詳細な説明】
【０００１】
【発明の属する技術分野】
本発明は、海、川、湖或いは池等で釣りを行う際に使用する浮き、及びこの釣り用浮きの浮力調整方法に関する。
【０００２】
【従来の技術】
従来、この種の釣り用浮きとして桐等の天然木材を切削加工して、その表面に耐水塗装を施した木製のものが知られている。浮きの実使用に際して、浮力バランスは極めて重要であり、浮きの動きや当たり感度等に著しく影響する。
【０００３】
従来、浮きの浮力調整を行う場合、例えば木製浮きの木材料を浮きの（外形）形状に成形後、表面全体の下地塗装を行う。なお、所謂中通し浮きにあっては、予め中通し孔が形成される。次に、浮きを水中に沈めて浮力測定を行い、この測定値に基づき、最終的な浮力を得るための錘の重量を決定する。例えば浮力測定値１ｇの場合において、この浮力測定値に対して目標浮力０．５ｇの浮きを得るためには、０．５ｇの錘を装着することになる。
【０００４】
浮力調整用の錘としては、金属製のワッシャ等が用いられる。ワッシャの数量及び重量等は、目標浮力が得られるように適宜選ばれる。浮き下部には、浮力調整用ワッシャを装着するための挿入孔が形成される。この挿入孔の寸法、特に深さは、装着すべきワッシャの厚さに応じて決められる。例えば上述の例では、２つの０．２ｇの錘とこれらの錘を挿入孔に固定するための接着剤によって、目標浮力０．５ｇの浮きを得るようにしている。
【０００５】
【発明が解決しようとする課題】
しかしながら、従来の浮き又はその浮きの浮力調整法において、浮き形成用の素材である材木の重量にバラツキがある。このため、前述のように浮力測定の結果に基づいて決定される浮力調整用ワッシャの数量、従って挿入孔の深さも、素材の材木の重量バラツキと同様バラツキついてしまう。つまり、それぞれの浮き毎に個別に挿入孔の深さを設定し、異なる深さの挿入孔を形成せざるを得なかった。
【０００６】
本発明はかかる実情に鑑み、正確且つ効率的に浮力調整を行い得る釣り用浮き及びその浮力調整法を提供することを目的とする。
【０００７】
【課題を解決するための手段】
本発明の釣り用浮きは、浮き本体の下部に錘を装着した釣り用浮きであって、所定寸法に形成された錘装着用の挿入孔を有し、この挿入孔に所定重量の主錘と、補助錘とが装着され、前記補助錘は複数の小錘片を含み、この小錘片と前記挿入孔に塗布される接着剤の合計重量が、前記補助錘の重量として設定され、所定浮力を生じさせるようにしたことを特徴とする。
【０００８】
また、本発明の釣り用浮きの浮力調整法は、浮き本体の下部に錘を装着した釣り用浮きの浮力調整法であって、前記浮き本体の下部に錘装着用の挿入孔を所定寸法で形成し、  前記挿入孔に主錘を装着して、そのときの浮力を測定し、測定された前記浮力に基き所望の浮き浮力が得られるように補助錘の重量を設定し、その際、前記補助錘に含まれる複数の小錘片と前記挿入孔に塗布される接着剤の合計重量が、前記補助錘の重量として設定され、重量設定された前記補助錘を前記挿入孔に装着することにより、所定浮力を生じさせるようにしたことを特徴とする。
【００１０】
【作用】
本発明によれば、浮きの木材料を浮き形状に成形後、錘装着用の挿入孔（中通し孔を含む）を所定寸法で形成する。主錘装着時に測定された浮き浮力に基づいて、目標浮力となるように補助錘の重量を設定し、これにより主錘と補助錘とによって最終的な所望の浮力を得ることができる。錘装着用の挿入孔を所定寸法で形成できるため、工程を極めて効率化することができると共に、素材の材木の重量バラツキに全く影響されずに正確な浮力を得ることができる。
【００１１】
【発明の実施の形態】
以下、図１〜図３に基づき、本発明による釣り用浮き及びその浮力調整法の好適な実施の形態を説明する。
【００１２】
図１は、この実施形態における釣り用浮き１０を示している。浮き１０は、浮き本体１１の下部に錘を装着し、該錘との重量バランスで所定浮力を生じさせるようにしたものである。浮き本体１１の下部に所定寸法に形成された錘装着用の挿入孔１２を有している。この挿入孔１２に後述する所定重量の主錘と、該主錘装着時の浮き浮力との関係で重量設定された補助錘とが装着される。
【００１３】
また、図１において、浮き本体１１には釣糸を挿通するための中通し孔１３が形成されていると共に、この中通し孔１３にはセンターパイプ１４が嵌着している。挿入孔１２に装着される主錘は、例えば真鍮製のリング１５とこのリング１５に螺合する錘１６により構成される。また補助錘は、複数の小錘片、即ちこの例では２つの金属製ワッシャ１７を含んでいる。補助錘の重量としては、後述するようにワッシャ１７と挿入孔１２に塗布される接着剤１８の合計重量により設定される。
【００１４】
本発明による釣り用浮き１０における具体的な浮力調整法の例を説明する。
図２及び図３は、浮き１０の製造工程を順に示している。
先ず、図２（Ａ）において、木材料を切削加工して、浮き１０の（外形）形状を成形する。次に、浮き本体１１の中心部に中通し孔１３を形成後、該浮き本体１１の表面全体の下地塗装（サンディングシーラ）を行う。
【００１５】
図２（Ｂ）において、浮き本体１１の下部に錘装着用の挿入孔１２を所定寸法で形成する。この挿入孔１２には、主錘及補助錘が装着されるが、径及び深さを同一寸法に設定する。次に、図２（Ｃ）において、中通し孔１３にセンターパイプ１４を挿入し、これを適宜の接着剤によって固定する。なお、センターパイプ１４は、好適には例えば樹脂材料により形成される。センターパイプ１４の挿入固定後、挿入孔１２の内部に接着剤１８ａ（好適にはシリコン系接着剤）を塗布する。
【００１６】
次に、図３（Ａ）において、挿入孔１２にリング１５を挿入し、これを接着剤１８ａによって固定する。リング１５は環状に形成されていると共に、内周部にネジ部１５ａを有している。図３（Ｂ）において、挿入孔１２に固定されているリング１５に対して錘１６を仮止めする。錘１６は外周部にネジ部１６ａを有している。ネジ部１６ａをリング１５のネジ部１５ａと螺合させることにより、錘１６を簡単に仮止めすることができる。
【００１７】
前述のように、リング１５及び錘１６により主錘が構成される。図３（Ｃ）のように挿入孔１２にかかる主錘を装着した状態で（なお、錘１６は仮止めとなっている）、浮き本体１１を水中に沈めて、このときの浮力を測定する。この場合挿入孔１２には補助錘（ワッシャ１７等）は装着されておらず、挿入孔１２の上部は空洞となっている。
【００１８】
次に、測定された浮力に基づき、所望の浮き浮力が得られるように補助錘の重量を設定し、重量設定された補助錘を挿入孔１２に装着する。つまり図３（Ｄ）において、仮止めされていた錘１６を一旦取り外して、補助錘を構成するワッシャ１７を挿入すると共に、接着剤１８ｂ（好適にはシリコン系接着剤）を塗布する。そして、取り外された錘１６を接着固定する。
【００１９】
上述のように補助錘は、浮き１０の目標浮力が得られるように設定される。図３（Ｃ）において測定された浮力測定値１ｇの場合を例にすると、この浮力測定値に対して目標浮力０．５ｇの浮きを得るためには、０．５ｇの補助錘を装着する。かかる補助錘の重量を確保するために、２つの０．２ｇのワッシャ１７とこれらのワッシャ１７を挿入孔１２に固定するための接着剤１８ｂを使用し、これにより目標浮力０．５ｇの浮き１０が得られる。
【００２０】
上記実施形態において、浮き１０の目標浮力、或いはワッシャ１７の重量等につき、具体的数値例を用いて説明したが、本発明はこれらの数値例の場合にのみ限定されるものでない。これらの数値は必要に応じて適宜変更可能であり、いずれの場合も上記実施形態と同様な作用効果を得ることができる。
【００２１】
【発明の効果】
以上説明したように本発明によれば、主錘装着時に測定された浮き浮力に基づいて、目標浮力となるように補助錘の重量を設定し、これにより主錘と補助錘とによって正確な所望の浮力を得ることができる。また、錘装着用の一定の挿入孔を形成するだけで済むため、工程を極めて効率化することができると共に、素材の材木の重量バラツキに全く影響されずに正確な浮力を得ることができる等の利点を有している。
【図面の簡単な説明】
【図１】本発明による釣り用浮きの構成例を示す断面図である。
【図２】本発明による釣り用浮の浮力調整法の例を工程順に説明する図である。
【図３】本発明による釣り用浮の浮力調整法の例を工程順に説明する図である。
【符号の説明】
１０    釣り用浮き
１１    浮き本体
１２    挿入孔
１３    中通し孔
１４    センターパイプ
１５    リング
１６    錘
１７    ワッシャ
１８    接着剤
【図１】
0003553248.tif 000002
【図２】
0003553248.tif 000003
【図３】
0003553248.tif 000004